(57)【特許請求の範囲】
【請求項１】
財布の高さ方向の上段に底部が配置される底上げされた第１収納部と、前記財布の下段に底部が配置される第２収納部とを設け、
第１収納部の第１折込マチ部が、第１収納部の左右側面の第１開放部の縁部に沿って縫合される第１内側マチ部と、該第１内側マチ部の外側に配置されて前記第１内側マチ部の上縁部に沿って縫合されると共に第２収納部の左右側面の第２開放部の縁部に沿って上下に縫合される第２折込マチ部と同じ高さに設定されて、前記第１開放部の前後に連接される壁面の縁部に沿って上下に縫合される第１外側マチ部とからなっていることを特徴とする財布の小銭類収納構造。
【請求項２】
第１外側マチ部が、第１収納部の後方に連接されて財布の高さに沿って延びる札入れ収納部の前方周壁又は仕切壁と、第２収納部の後方の周壁の左右の側端部に沿って縦方向に縫着されてなることを特徴とする請求項１に記載の財布の小銭類収納構造。
【請求項３】
第１開放部が、第１収納部の折り返された前後の周壁のそれぞれの上部から底部に向かって漸次下降すると共に、第１収納部の内側に向かって傾斜して切り欠かれており、第１内側マチ部が上記切欠形状に沿う略三角形状からなっていることを特徴とする請求項１または２に記載の財布の小銭類収納構造。
【請求項４】
第２折込マチ部が、第２内側マチ部と第２外側マチ部とからなっており、第１外側マチ部と第２外側マチ部とが一連に形成されていることを特徴とする請求項１から３のいずれかに記載の財布の小銭類収納構造。
【発明の詳細な説明】
【技術分野】
【０００１】
本発明は、小銭類の収納部を上下二段に設け、収納部毎に折込マチ（襠）を設けた財布の小銭類収納構造に関するものである。
【背景技術】
【０００２】
財布において、硬貨類を紙幣と分けて収納する構造が知られており、例えば特開平１１−１３７３１９号では、硬貨をずらして半重ね状態で並べることが可能な弾性を有する透明な素材からなり、硬貨の直径から直径の１．５倍程度の深さで、上方に開口部を有する横長の袋状の収容部を有し、財布の内側面入口近傍に装着可能な構造が知られている。
上記構成では、小銭を取り出しやすいが、小銭入れは弾性を有する袋状であって、革や繊維を素材として用いることができず、小銭を収納した際に膨らんでしまい、財布を閉じた際に膨らんで嵩張るなどの欠点があった。
また、収納部をコンパクトにするために左右の側面に折込みマチを設ける構成も知られているが、小銭類の収納量が多い場合には財布は膨らんでしまう点は同様であった。
【先行技術文献】
【特許文献】
【０００３】
【特許文献１】特開平１１−１３７３１９号公報
【発明の概要】
【発明が解決しようとする課題】
【０００４】
この発明は上記事情に鑑みて創案されたものであって、その解決しようとする問題点は、小銭類の収納に際して収納部を上段部分と上段及び下段を含む部分とに二分して形成し、且つそれぞれの収納部の両側に折込マチを用いて収納量が多くてもコンパクトに収納することができるようにし、且つ強度も高い財布の小銭類収納構造を提供することにある。
【課題を解決するための手段】
【０００５】
請求項１の発明では、
財布の高さ方向の上段に底部が配置される底上げされた第１収納部と、前記財布の下段に底部が配置される第２収納部とを設け、
第１収納部の第１折込マチ部が、第１収納部の左右側面の第１開放部の縁部に沿って縫合される第１内側マチ部と、該第１内側マチ部の外側に配置されて前記第１内側マチ部の上縁部に沿って縫合されると共に第２収納部の左右側面の第２開放部の縁部に沿って上下に縫合される第２折込マチ部と同じ高さに設定されて、前記第１開放部の前後に連接される壁面の縁部に沿って上下に縫合される第１外側マチ部とからなっていることを特徴とする。
請求項２の発明では、
前記第１外側マチ部が、第１収納部の後方に連接されて財布の高さに沿って延びる札入れ収納部の前方周壁又は仕切壁と、第２収納部の後方の周壁の左右の側端部に沿って縦方向に縫着されてなることを特徴とする。
請求項３の発明では、
前記第１開放部が、第１収納部の折り返された前後の周壁のそれぞれの上部から底部に向かって漸次下降すると共に、第１収納部の内側に向かって傾斜して切り欠かれており、第１内側マチ部が上記切欠形状に沿う略三角形状からなっていることを特徴とする。
請求項４の発明では、
前記第２折込マチ部が、第２内側マチ部と第２外側マチ部とからなっており、第１外側マチ部と第２外側マチ部とが一連に形成されていることを特徴とする。
【発明の効果】
【０００６】
（１）収納部は上段のみの第１収納部と、全段の第２収納部の二個所に仕切られており、第１収納部のポケットは底上げにより浅く、第２収納部のポケットは底が深い段差構造を用いている。
この段差構造により、硬貨等を収納時、硬貨等が上下段に分散され、財布を閉じた場合でも全体の厚みを軽減することができる。
ここで、第１収納部は、硬貨幅よりもやや深い長さとすれば、硬貨類の取り出し時に指が容易に届き、取り出しやすい。
（２）第１収納部の第１内側マチ部は、第１収納部の側面開口の縁部に沿って縫合されるので、マチ部との間に隙間が形成されず、硬貨等の収納物が逸失しない。
更に、第１内側マチ部の上縁部と、外側第１マチ部の上縁部とを揃えて縫合するので、第１収納部の強度を高めることができる。
（３）第１収納部と第２収納部には折込マチが形成されており、且つ第１外側マチと第２外側マチとは同じ形状とすることで、折込マチによる折込みを確実に行うことができ、且つ外観上も不用意な膨出が避けられ、バランスのよい姿勢を維持することができる。
（４）第１収納部と第２収納部の第１外側マチ部と第２外側マチ部とは略同一の外観となっており、折畳を確実に行わせることができる。
【図面の簡単な説明】
【０００７】
【図１】小銭類収納構造の見開き状体を示す斜視図である。
【図２】同断面図である。
【図３】第１折込マチ部の取付を示す要部斜視図であって、（ａ）は取付前、（ｂ）は折返しを示す模式図、（ｃ）は第１内側マチ部の取付状態、（ｄ）は第１外側マチ部の取付状態を示す。
【図４】第１内側マチ部を取り付けた状体の第１収納部の見開き状体を示す平面図である。
【図５】第１内側マチ部と第１外側マチ部の縫合状体を示す部分斜視図である。
【図６】第２折込マチ部の取付を示す要部斜視図であって、（ａ）は取付前、（ｂ）は折返しを示す模式図、（ｃ）は第２内側マチ部及び第２外側マチ部の取付状体、（ｄ）は第２内側マチ部と第２外側マチ部とを一体に縫合した第２折込マチ部の取付状体を示す。
【図７】第１収納部に中仕切を設けた場合の要部を示す平面図である。
【発明を実施するための形態】
【０００８】
以下に、この発明の財布の小銭類収納構造の好適実施例について図面を参照しながら説明する。
この財布の小銭類収納構造は、本実施例では、図示しないが、左右に蛇腹状の折込マチを有する紙幣類収納部と並列に取り付けられる。
【０００９】
[第１収納部と第２収納部の段差構造]
小銭類収納構造は、図１及び図２に示すように、第１収納部１と第２収納部１０とからなっている。
第１収納部１及び第２収納部１０は、それぞれ矩形の布地を略Ｖ字状に折り曲げ、左右側方の開口を折込マチで塞いだ構成からなっている。
第１収納部１は、底上げにより底部１ｃが浅く設定されており、本実施例では、硬貨の幅よりもやや長い深さとしているので、収納した硬貨の取り出し時に指が容易に届き、取り出しやすくなっている。
【００１０】
第２収納部１０は第１収納部１の例えば前方（前後は、収納部を見開く方向を前方とし、閉じる方向を後方とする）に並行に揃えて形成されている。
上記第２収納部１０は、底部１０ｃが第１収納部１の底部１ｃの略２倍の長さに深く設定されている。
第１収納部１と第２収納部１０のこのような段差構造により、硬貨類の収納時に、硬貨類が上下段に分散されるので、財布を閉じた場合に全体の厚みを軽減することができる。
【００１１】
[第１収納部]
第１収納部１の構造について図３から図５に示す。
第１収納部１の前後の周壁１ａ、１ｂは、前述のように布地を底部１ｃで折り返して形成され、左右側方は開放して第１開放部２となっており、この第１開放部２は第１折込マチ部３により塞がれる（図１及び図４参照）。
ここで、前後の周壁１ａ、１ｂには、その一方、または双方に強度を有するプレート状の芯材を重ねて補強してもよい。
なお、図中、符号２１は後方に連接される図示省略の札入れ収納部の前方周壁又は仕切壁であって、本実施例では、前方周壁２１と、第１収納部１の前方の周壁１ｂにそれぞれ芯材を重ねて固着しているが、この発明では芯材については特に限定されない。
【００１２】
[第１折込マチ部]
第１折込マチ部３は、第１内側マチ部４と、第１外側マチ部７とからなっている。
ここで第１開放部２の周縁は、周壁１ａ、１ｂのそれぞれの上部から底部１ｃの折返し部分に向かって漸次下降すると共に、内側に向かって傾斜して切り欠かれており、第１開放部２となっている。
図４に例示するように、第１収納部１の底部１ｃは、第１収納部１の中央よりやや前方に偏っており，これに伴い第１開放部２の内向きに傾斜する傾斜角度も前後（図中、上下）で異なっている。
【００１３】
［第１内側マチ部］
これにより前記第１開放部２を塞ぐ第１内側マチ部４も上記第１開放部２に沿った三角形状となっている。
第１内側マチ部４は、前記周壁１ａ、１ｂと同じ布地が用いられて中間位置で内折りされており、図４の点線で示すように、周壁１ａ、１ｂのそれぞれの左右端縁（第１開放部１ｃの周縁）に沿ってその裏面で一体に縫着Ｈ１され、第１収納部１の底部１ｃの隙間を塞いでいる。
【００１４】
［第１外側マチ部］
この第１内側マチ部４の外側に、第１外側マチ部７が取り付けられる。
第１外側マチ部７は、中間位置で内折りされており、財布の両側に設けられる蛇腹の１つの構成部分となるもので、皮等の強度の高い素材からなっている。
【００１５】
この第１外側マチ部７は、第２収納部１０と高さを揃えていると共に、第１内側マチ部４の外側に略隙間無く外嵌し、第１内側マチ部４と連動して開閉しうる略倒立台形状に設定されている。
この第１外側マチ部７は、図５に明瞭なように、第１内側マチ部４の上端の縁部に沿って縫着Ｈ２されて一体となっており、縦に延びる前後両端の縁部は、その後方の縁部が後方に連接される収納部の前方周壁又は仕切壁２１の縁部に沿って上下に縫着Ｈ３される。
【００１６】
同様に、後方の縁部は第２収納部１０の後方の周壁１０ｂ（乃至その芯材）の縁部に沿って上下に縫着Ｈ４されている。
これにより、第１収納部１は、底部１ｃが浅い形状でありながら、第１開放部２が、第１内側マチ部４で塞がれ、且つ外側が第２収納部１０と同じ深さの第１外側マチ部７により覆われているので、硬貨類の滑落を防ぎながら強度が損なわれず、且つ外観上も長さが揃った蛇腹状のマチ部を形成することができる。
【００１７】
［第２収納部］
第２収納部１０の構造について図１、２及び図６に示す。
第２収納部１０の前後の周壁１０ａ、１０ｂは、前述のように布地を底部１０ｃで折り返して形成され、左右側方は開放して第２開放部１２となっており、この第２開放部２は第２折込マチ部１３により塞がれる（図６参照）。
【００１８】
［第２折込マチ部］
第２折込マチ部１３は、第２内側マチ部１４と、第２外側マチ部１７とからなっている。
ここで第２開放部１２の周縁は、周壁１０ａ、１０ｂのそれぞれの上部から略垂直に底部１０ｃの折返し部分に向かって延びている。
第２収納部１０の底部１０ｃは、第２収納部１０の中央でもよいが、見開きの体裁上、中央よりやや前方（第１収納部１の周壁１ｂ寄り）に偏っている方が好ましい。
【００１９】
第２内側マチ部１４及び第２外側マチ部１７は、同じ略倒立台形状からなっており、前記第２開放部１２に取り付けられる。
ここで、第２内側マチ部１４及び第２外側マチ部１７は、図６（ｃ）に示すように別々に第２収納部１０に縫合してもよいし、図６（ｄ）に示すように、予め第２内側マチ部１４と第２外側マチ部１７とを一体に縫着してから第２収納部１０の第２開放部１２に縫合してもよい。
【００２０】
この第２内側マチ部１４及び第２外側マチ部１７は、その前後両端の縦に延びる縁部を、その前方の縁部が第２収納部１０の前方の周壁１０ａ（ないしその芯材）の縁部に沿って上下に縫着Ｈ５、Ｈ６される。
また、第２内側マチ部１４と第２外側マチ部１７とは、その上下の縁部も一体に縫着している。
従って、第２折込マチ部１３は、その内向きの折込み部分が、第２収納部１０の第２開放部１２から内向きに突入され、下端は底部１０ｃに沿って配置されるが、第２内側マチ部１４は第２外側マチ部１７と共に、第２開放部１２の底部１０ｃに沿って縫着されない公知構成となっている。
【００２１】
ここで、第１外側マチ部７と第２外側マチ部１７とは縦の長さを同じくして蛇腹構造となるので、一連に形成されていてもよい（図６（ｄ）の仮想線参照）。
また製造の便宜上、この一連に形成された第１外側マチ部７と第２外側マチ部１７には、その内面に一連に内側マチ部と同じ生地を一体に縫着しておいてもよく、その場合、第２収納部１０では、別に第２内側マチ部１４を設ける必要がない。
また、第２収納部１０では、そもそも第２内側マチ部１４を設けなくてもよい。
【００２２】
図７は、第１収納部１に、蛇腹状の中仕切９を１個所設けた場合である。
これにより、第１収納部１内を左右に分けて硬貨類を収納することができると共に、第１折込マチ部３に連動して第１収納部１を開閉することができる。
本実施例では紙幣などの収納部と混在する例を示したが、硬貨類だけを収納する財布であってもよい。
その他この発明は上記実施例に限定されるものではなく、要するにこの発明の要旨を変更しない範囲で種々設計変更することができる。
【符号の説明】
【００２３】
１    第１収納部
１ａ、１ｂ  周壁
１ｃ  底部
２    第１開放部
３    第１折込マチ部
４    第１内側マチ部
７    第１外側マチ部
９    中仕切
１０    第２収納部
１１ａ、１１ｂ  周壁
１１ｃ  底部
１２    第２開放部
１３    第２折込マチ部
１４    第２内側マチ部
１７    第２外側マチ部
２１    前方周壁（仕切壁）
【図１】
0005255684.tif 000002
【図２】
0005255684.tif 000003
【図３】
0005255684.tif 000004
【図４】
0005255684.tif 000005
【図５】
0005255684.tif 000006
【図６】
0005255684.tif 000007
【図７】
0005255684.tif 000008